(57)【要約】【課題】本発明は高周波特性が良く、構成が簡単で、小型のチューナ装置を提供する。【解決手段】本発明のチューナ装置は、金属板からなる壁部１ａによって四方が囲まれてロ字状をなした枠体１と、この枠体１内に配置された回路基板２と、この回路基板２の一端側に並設され、一つの壁部１ａから枠体１外に突出した複数の引出端子５とを備え、引出端子５は、壁部１ａに設けられた切り欠き部１ｅを通って枠体１外に突出すると共に、切り欠き部１ｅを有する壁部１ａには、枠体１内に突出する接地用の端子部１ｇが設けられ、端子部１ｇの端部が枠体１内の回路基板２に設けられた接地用パターン３ｂに接続されたため、枠体１内のチューナ回路の接地用パターン３ｂを端子部３ｇで接地できて、高周波特性の良いものが得られる。【選択図】        図１
2004282254.tif 000002
【特許請求の範囲】
【請求項１】
金属板からなる壁部によって四方が囲まれてロ字状をなした枠体と、この枠体内に配置された回路基板と、この回路基板の一端側に並設され、一つの前記壁部から前記枠体外に突出した複数の引出端子とを備え、前記引出端子は、前記壁部に設けられた切り欠き部を通って前記枠体外に突出すると共に、前記切り欠き部を有する前記壁部には、前記枠体内に突出する接地用の端子部が設けられ、前記端子部の端部が前記枠体内の前記回路基板に設けられた接地用パターンに接続されたことを特徴とするチューナ装置。
【請求項２】
前記端子部は、前記壁部の前記回路基板と平行な辺に設けられたことを特徴とする請求項１記載のチューナ装置。
【請求項３】
前記端子部は、前記切り欠き部が位置する前記壁部の辺に設けられたことを特徴とする請求項１，又は２記載のチューナ装置。
【請求項４】
前記端子部の端部は、複数に分岐して形成されたことを特徴とする請求項１から３の何れかに記載のチューナ装置。
【請求項５】
前記端子部の端部は、前記枠体内に位置する前記引出端子の先端部を越えて前記枠体内の奥部に位置したことを特徴とする請求項１から４の何れかに記載のチューナ装置。
【請求項６】
前記枠体内は、シールド板によって複数の区画室に区画されると共に、前記回路基板には少なくともＲＦ同調回路が形成され、前記端子部は、前記ＲＦ同調回路が位置する前記区画室内に配置されたことを特徴とする請求項１から５の何れかに記載のチューナ装置。
【請求項７】
複数の前記端子部を有し、前記端子部が複数個の前記区画室内にそれぞれ配置されたことを特徴とする請求項６記載のチューナ装置。
【請求項８】
前記回路基板には、デジタル復同調回路を含むデジタルチューナ回路が形成されたことを特徴とする請求項６、又は７記載のチューナ装置。
【発明の詳細な説明】
【０００１】
【発明の属する技術分野】
本発明はデジタルチューナ等に使用して好適なチューナ装置に関する。
【０００２】
【従来の技術】
従来のチューナ装置の図面を説明すると、図５は従来のチューナ装置の平面図、図６は従来のチューナ装置の側面図である。
【０００３】
次に、従来のチューナ装置の構成を図５，図６に基づいて説明すると、金属板からなる箱形の筺体５１は、四方が囲まれてロ字状をなす壁部５１ａと、この壁部５１ａの一方の開放部側に設けられた側壁５１ｂと、この側壁５１ｂから外方に突出する端子部５１ｃと、壁部１５ａの他方の開放部側に切り欠き部５１ｄと、対向する壁部５１ａから下方に突出する脚部５１ｅを有する。
【０００４】
プリント基板からなる回路基板５２は、種々の電子部品５３が搭載されて、チューナ回路が形成されると共に、回路基板５２の一端側には、入、出力用の複数個の引出端子５４が並設されている。
【０００５】
この回路基板４２は、切り欠き部５１ｄに位置した状態で、枠体５１内に配置されて取り付けられると共に、引出端子５４が枠体５１外に突出した状態となっている。（例えば、特許文献１参照）
【０００６】
そして、このような構成を有するチューナ装置は、セット側である電子機器のマザー基板５５上に載置され、端子部５１ｃ、脚部５１ｅ、及び引出端子５４がマザー基板５５に挿通された状態で、マザー基板５５に半田付けされて取り付けられる。
【０００７】
しかし、枠体５１に設けられた端子部５１ｃは、マザー基板５５の接地用パターン（図示せず）に接続されるため、枠体５１の接地を行うことができるが、チューナ装置の枠体５１内に位置する回路基板５２の接地用パターンを接地することができず、チューナ装置の高周波特性が悪くなる。
【０００８】
また、端子部５１ｃがマザー基板５５の接地用パターン（図示せず）に接続されるため、マザー基板５５のパターン形成に制約を受け、マザー基板５５の融通性が悪くなる。
【０００９】
【特許文献１】
特開２００２−２７１０５４号公報
【００１０】
【発明が解決しようとする課題】
従来のチューナ装置は、枠体５１に設けられた端子部５１ｃがマザー基板５５の接地用パターンに接続されるため、枠体５１内に位置する回路基板５２の接地用パターンを接地することができず、チューナ装置の高周波特性が悪くなるという問題がある。
また、端子部５１ｃがマザー基板５５の接地用パターンに接続されるため、マザー基板５５のパターン形成に制約を受け、マザー基板５５の融通性が悪くなる。
【００１１】
そこで、本発明は高周波特性が良く、構成が簡単で、小型のチューナ装置を提供することを目的とする。
【００１２】
【課題を解決するための手段】
上記課題を解決するための第１の解決手段として、金属板からなる壁部によって四方が囲まれてロ字状をなした枠体と、この枠体内に配置された回路基板と、この回路基板の一端側に並設され、一つの前記壁部から前記枠体外に突出した複数の引出端子とを備え、前記引出端子は、前記壁部に設けられた切り欠き部を通って前記枠体外に突出すると共に、前記切り欠き部を有する前記壁部には、前記枠体内に突出する接地用の端子部が設けられ、前記端子部の端部が前記枠体内の前記回路基板に設けられた接地用パターンに接続された構成とした。
【００１３】
また、第２の解決手段として、前記端子部は、前記壁部の前記回路基板と平行な辺に設けられた構成とした。
また、第３の解決手段として、前記端子部は、前記切り欠き部が位置する前記壁部の辺に設けられた構成とした。
【００１４】
また、第４の解決手段として、前記端子部の端部は、複数に分岐して形成された構成とした。
また、第５の解決手段として、前記端子部の端部は、前記枠体内に位置する前記引出端子の先端部を越えて前記枠体内の奥部に位置した構成とした。
また、第６の解決手段として、前記枠体内は、シールド板によって複数の区画室に区画されると共に、前記回路基板には少なくともＲＦ同調回路が形成され、前記端子部は、前記ＲＦ同調回路が位置する前記区画室内に配置された構成とした。
【００１５】
また、第７の解決手段として、複数の前記端子部を有し、前記端子部が複数個の前記区画室内にそれぞれ配置された構成とした。
また、第８の解決手段として、前記回路基板には、デジタル復同調回路を含むデジタルチューナ回路が形成された構成とした。
【００１６】
【発明の実施の形態】
本発明のチューナ装置の図面を説明すると、図１は本発明のチューナ装置の平面図、図２は本発明のチューナ装置の要部断面図、図３は本発明のチューナ装置の下面図、図４は本発明のチューナ装置に係る枠体の斜視図である。
【００１７】
次に、本発明のチューナ装置をデジタルチューナ装置に適用した場合を例にして、図１〜図４に基づいて説明すると、金属板からなる枠体１は、四方が囲まれ、両側に開口部を有したロ字状の壁部１ａと、このロ字状の壁部１ａ内を第１〜第５の区画室Ｋ１〜Ｋ５に区画するためのシールド板１ｂと、対向する一対の壁部１ａから下方に突出する爪部１ｃ付の脚部１ｄと、一つの壁部１ａに設けられた切り欠き部１ｅを有する。
【００１８】
また、枠体１は、壁部１ａ内に突出するように、切り欠き部１ｅが位置する壁部１ａの一辺（底辺）１ｆから折り曲げて設けられたＬ字状の接地用の端子部１ｇと、この端子部１ｇの端部に設けられた複数に分岐する分岐部１ｈと、切り欠き部１ｅが位置する壁部１ａの他の辺（側辺）１ｊから折り曲げて設けられたＬ字状の接地用の端子部１ｋと、シールド板１ｂから突出する複数個の突片１ｍを有する。
【００１９】
プリント基板からなる回路基板２は、銅箔等からなる配線パターン３ａと、銅箔等からなる接地用パターン３ｂを有し、このパターン３ａ、３ｂには、種々の電子部品４が搭載されて、所望のチューナ回路（デジタルチューナ回路）が形成されている。
【００２０】
また、回路基板２の一端側には、金属線等からなる複数個の入、出力用の引出端子５がチューナ回路に接続（半田付け）された状態で、一列に並設された状態で取り付けられており、これ等の引出端子５は、回路基板２の一端側から外方に突出した状態となっている。
【００２１】
なお、複数個の引出端子５が絶縁材の成型品からなる絶縁基体（図示せず）に埋設して取り付けられ、この絶縁基体を回路基板５上に載置した状態で、複数個の引出端子５をチューナ回路に接続（半田付け）するようにしても良い。
【００２２】
このような回路基板２は、切り欠き部１ｅ内に引出端子５が位置した状態で、枠体１内に配置され、枠体１の一部を折り曲げたり、半田付けすることによって枠体１に取り付けられる。
【００２３】
そして、回路基板２が枠体１内に取り付けられた際、引出端子５は、枠体１とは非接触状態で、切り欠き部１ｅを通って枠体１の外方に突出すると共に、端子部１ｇの分岐部１ｈ、端子部１ｋ、及び突片１ｍは、回路基板を貫通した状態で、枠体１内に位置する接地用パターン３ｂに接続（半田付け）される。
【００２４】
この時、端子部１ｇを設けた切り欠き部１ｅに位置する一辺１ｆは、複数個の引出端子５と対向すると共に、回路基板２と平行な状態となっており、この切り欠き部１ｅに位置する一辺１ｆに端子部１ｇが設けられた場合には、枠体１内に位置する接地用パターン３ｂと壁部１ａとの間の距離が短くなって、一層、高周波特性を良くすることができる。
【００２５】
なお、この実施例では、端子部１ｇが回路基板２と平行で、切り欠き部１ｅに位置する一辺１ｆに設けられたもので説明したが、端子部１ｇが一辺１ｆと対向する壁部１ａの外側の辺１ｎに設けられても良い。
【００２６】
また、端子部１ｇの端部である分岐部１ｈは、枠体１内に位置する引出端子５の先端部を越えて枠体１内の奥部に位置した状態で、接地用パターン３ｂに接続されている。
【００２７】
また、回路基板２が枠体１内に取り付けられた際、回路基板２のチューナ回路はシールド板１ｂで区画されて、第１の区画室Ｋ１にはアンテナ同調回路が配置され、第２の区画室Ｋ２にはＶＨＦ帯のＲＦ同調回路が配置され、第３の区画室Ｋ３にはＵＨＦ帯のＲＦ同調回路が配置され、第４の区画室Ｋ４にはＯＳＣ回路とＭＩＸ回路が配置され、更に、第５の区画室Ｋ５にはデジタル復同調回路が配置された状態となっている。
【００２８】
その結果、端子部１ｇは、ＶＨＦ帯のＲＦ同調回路に位置する接地用パターン３ｂに接続されると共に、端子部１ｋは、アンテナ同調回路に位置する接地用パターン３ｂに接続されたものとなっている。
【００２９】
なお、切り欠き部１ｅの一辺１ｆに複数個の端子部１ｇが設けられ、それぞれの端子部１ｇが複数個のそれぞれの区画室内に配置されても良い。
【００３０】
アンテナ用の同軸型のコネクタ６は、アンテナ同調回路が位置する壁部１ａに取り付けられると共に、ここでは図示しないが、枠体１の両開放部を覆うカバーが設けられており、このような構成によって、チューナ装置が形成されている。
【００３１】
このような構成を有するチューナ装置は、セット側である電子機器のマザー基板７上に載置され、引出端子５と脚部１ｄがマザー基板７に挿通されると共に、爪部１ｃで掛け止めされた状態で、マザー基板７に半田付けされて取り付けられる。
【００３２】
そして、枠体１に設けられた脚部１ｄは、マザー基板７の接地用パターン（図示せず）に接続されて、枠体１の接地されると共に、引出端子５は、配線パターン（図示せず）に接続されて配線されるようになる。
【００３３】
【発明の効果】
本発明のチューナ装置は、金属板からなる壁部によって四方が囲まれてロ字状をなした枠体と、この枠体内に配置された回路基板と、この回路基板の一端側に並設され、一つの壁部から枠体外に突出した複数の引出端子とを備え、引出端子は、壁部に設けられた切り欠き部を通って枠体外に突出すると共に、切り欠き部を有する壁部には、枠体内に突出する接地用の端子部が設けられ、端子部の端部が枠体内の回路基板に設けられた接地用パターンに接続されたため、枠体内のチューナ回路の接地用パターンを端子部で接地できて、高周波特性の良いチューナ装置を提供できる。
また、端子部は、壁部と一体に設けられたため、その構成が簡単であると共に、枠体内に突出しているため、小型のものが得られる。
また、端子部によって、マザー基板のパターン形成に制約を受けことが無く、マザー基板に融通性を持たせることができる。
【００３４】
また、端子部は、壁部の回路基板と平行な辺に設けられたため、端子部は引出端子と対向する位置に自由に形成できて、必要な箇所で、引出端子と近い位置に自由に形成できて、自由度のあるものが得られる。
【００３５】
また、端子部は、切り欠き部が位置する壁部の辺に設けられたため、枠体内に位置する接地用パターンと壁部との間の距離が短くなって、一層、高周波特性を良くすることができる。
【００３６】
また、端子部の端部は、複数に分岐して形成されたため、一つの端子部で複数箇所の接地が容易であると共に、端子部の支持の強固なものが得られる。
【００３７】
また、端子部の端部は、枠体内に位置する引出端子の先端部を越えて枠体内の奥部に位置したため、引出端子間の間隔に関係なく、接地用パターンの接地ができ、従って、引出端子間の間隔を一層小さくできるため、配列方向に小型で、多数の引出端子の配列可能なものが得られる。
【００３８】
また、枠体内は、シールド板によって複数の区画室に区画されると共に、回路基板には少なくともＲＦ同調回路が形成され、端子部は、ＲＦ同調回路が位置する区画室内に配置されたため、高周波回路であるＲＦ同調回路の高周波特性を一層良くすることができる。
【００３９】
また、複数の端子部を有し、端子部が複数個の区画室内にそれぞれ配置されたため、高周波特性を一層良くすることができる。
【００４０】
また、回路基板には、デジタル復同調回路を含むデジタルチューナ回路が形成されたため、特に、多数の引出端子が必要なデジタルチューナ回路に使用して好適である。
【図面の簡単な説明】
【図１】本発明のチューナ装置の平面図。
【図２】本発明のチューナ装置の要部断面図。
【図３】本発明のチューナ装置の下面図。
【図４】本発明のチューナ装置に係る枠体の斜視図。
【図５】従来のチューナ装置の平面図。
【図６】従来のチューナ装置の側面図。
【符号の説明】
１  枠体
１ａ  壁部
１ｂ  シールド板
１ｃ  爪部
１ｄ  脚部
１ｅ  切り欠き部
１ｆ  一辺
１ｇ  端子部
１ｈ  分岐部
１ｊ  他の辺
１ｋ  端子部
１ｍ  突片
１ｎ  辺
２  回路基板
３ａ  配線パターン
３ｂ  接地用パターン
４  電子部品
５  引出端子
６  コネクタ
７  マザー基板
Ｋ１〜Ｋ５  区画室
【図１】
2004282254.tif 000003
【図２】
2004282254.tif 000004
【図３】
2004282254.tif 000005
【図４】
2004282254.tif 000006
【図５】
2004282254.tif 000007
【図６】
2004282254.tif 000008